(57)【要約】      （修正有）【課題】靴紐を容易にかつ正確に通すことができる靴紐及び靴を提供する。【解決手段】靴２は、靴紐１を通す紐孔２５を備えている。また、靴紐１は、紐孔２５に通されるものであり、靴紐１の長さ方向中間部に基準目印１０が形成されている。靴紐１は、基準目印１０に対して靴紐１の長さ方向一方側又は両側であって、靴紐１を紐孔２５に通した際に、紐孔２５に相当する位置に紐孔用目印１１が形成されている。靴紐１は、基準目印１０が、一対の紐孔２５ａ、２５ｂの中央に位置するように紐孔２５ａ、２５ｂに通される。また、靴紐１は、紐孔用目印１１と紐孔２５とが一致するように紐孔２５に通されて、紐孔２５を基点に折り返される。【選択図】図１
0003231337.tif 000002
【実用新案登録請求の範囲】
【請求項１】
靴の紐孔に通す靴紐であって、
当該靴紐の長さ方向中間部に基準目印が形成されていることを特徴とする靴紐。
【請求項２】
前記基準目印に対して前記靴紐の長さ方向一方側又は両側であって、前記靴紐を前記紐孔に通した際に、前記紐孔に相当する位置に紐孔用目印が形成されていることを特徴とする請求項１に記載の靴紐。
【請求項３】
一対の前記紐孔用目印が、前記基準目印を介して対称となるように形成されていることを特徴とする請求項２に記載の靴紐。
【請求項４】
前記紐孔用目印が、複数形成されていることを特徴とする請求項２〜３のいずれか1項に記載の靴紐。
【請求項５】
前記基準目印が、複数形成されていることを特徴とする請求項１〜４のいずれか１項に記載の靴紐。
【請求項６】
請求項１〜５のいずれか１項に記載の靴紐を備えた靴。
【請求項７】
請求項１〜５のいずれか１項に記載の靴紐を備えた靴であって、
幅方向一方側及び他方側に一対の紐孔を有し、
前記靴紐における前記基準目印が、一対の前記紐孔の中央に位置するように前記靴紐が前記紐孔に通されることを特徴とする靴。
【請求項８】
請求項２〜５のいずれか１項に記載の靴紐を備えた靴であって、
前記靴紐を前記紐孔に通した際に、前記紐孔用目印と前記紐孔とを一致させて、当該紐孔を基点として前記靴紐が折り返されるようにしたことを特徴とする靴。
【請求項９】
請求項１〜５のいずれか１項に記載の靴紐を備えた靴であって、
幅方向一方側及び他方側に対称となるように一対の紐孔を有し、
それぞれの前記紐孔の中央に靴側基準目印が形成されており、
前記靴紐における前記基準目印と前記靴側基準目印とが、一致するように前記靴紐が通されることを特徴とする靴。
【考案の詳細な説明】
【技術分野】
【０００１】
本考案は、靴紐及び靴に関する。
【背景技術】
【０００２】
従来、スポーツ用、ファッション用、日常生活用等、各種用途に用いられる靴が知られている。また、靴紐が通される紐靴も各種のものが知られている（例えば、特許文献１）。
【先行技術文献】
【特許文献】
【０００３】
【特許文献１】特開２０１２−２２３５４９号公報
【考案の概要】
【考案が解決しようとする課題】
【０００４】
ところで、上述した紐靴は、靴紐を通した際に、一方側と他方側との長さ（左右方向の長さとも称する）のバランスが狂うと、通し直しをしなければならない場合がある。また、スポーツ用の靴では、靴紐の損傷等により、靴紐の交換頻度も高くなっている。
【０００５】
ここで、靴紐を通し直す場合は、まず、用意した靴紐の一端側を靴の紐孔に通し、当該靴紐の長さ方向のおおよその中心を靴の幅方向中心付近に合わせた後、順次、靴紐を次の紐孔に通していく作業が行われる。すなわち、靴紐を靴の紐孔に通す作業は、靴紐の中心を目安で判断した上で行われている。そのため、靴紐を通し終わった時点で、左右の長さのバランスが狂っていた場合、再度、靴紐の通し直しの作業を行わなければならない問題があった。また、靴を履かずに、予め靴紐を通す場合は、靴紐を折り返す位置が定まらないため、靴紐が強く締め付けられたり、反対に靴紐の締め付けが足らずに緩んでしまったりする問題があった。
【０００６】
かかる課題を解決するために、本考案は、靴紐を容易にかつ正確に通すことができる靴紐及び靴を提供することを目的とする。
【課題を解決するための手段】
【０００７】
上述したように、靴紐を靴の紐孔に通す場合は、靴紐の左右方向の長さのバランスを目安で決めると共に靴紐の靴への位置決めを行う作業が行われている。従って、目安で行う作業を正確に行えるようにすれば、靴紐を正確に紐孔に通すことができると考えられる。
【０００８】
（１）かかる知見に基づき提供される本考案の靴紐は、靴の紐孔に通す靴紐であって、当該靴紐の長さ方向中間部に基準目印が形成されていることを特徴とするものである。
【０００９】
上述した本考案の靴紐は、靴紐の長さ方向中間部に形成された基準目印により、靴紐の長さ方向一方側及び他方側のそれぞれの長さのバランスを正確に知ることができる。そのため、当該基準目印を、例えば、靴の幅方向の一方側及び他方側に設けられた一対の紐孔の中心に位置付けて、靴紐を両紐孔に通すようにすれば、靴紐の左右方向の長さバランスを適正なものとすることができる。これにより、靴紐の左右方向の長さバランスが狂うことを抑制でき、靴紐の通し直し作業の発生を抑制することができる。
【００１０】
ここで、上述のように、基準目印を一対の前記紐孔の中心に位置付けた場合であっても、靴紐が想定よりも締まり過ぎたり、弛んだりすることが考えられる。
【００１１】
（２）かかる知見に基づき上述した本考案の靴紐は、前記基準目印に対して前記靴紐の長さ方向一方側又は両側であって、前記靴紐を前記紐孔に通した際に、前記紐孔に相当する位置に紐孔用目印が形成されていると良い。
【００１２】
かかる構成によれば、基準目印による位置決めに加えて、紐孔用目印を用いた靴紐の正確な位置決めを行うことができる。そのため、基準目印で位置決めした状態で、紐孔用目印を、対応した紐孔の位置に位置決めすることができる。これにより、靴紐が締まり過ぎたり、弛んだりすることを抑制できる。また、短時間で靴紐を精度良く通すことができる。
【００１３】
ここで、一般的に靴の紐孔は、靴の幅方向中心に対して、左右対称に形成されている。従って、靴紐の紐孔用目印を、靴の紐孔に合わせて形成し、靴紐を紐孔に通す際に、紐孔用目印と、紐孔とを一致させるようにすれば、靴紐をより一層正確に紐孔に通すことができるものと考えられる。
【００１４】
（３）かかる知見に基づき、上述した本考案の靴紐は、一対の前記紐孔用目印が、前記基準目印を介して対称となるように形成されていると良い。
【００１５】
かかる構成によれば、靴紐を紐孔に通す際に、左右対称に形成された一対の紐孔と、一対の紐孔用目印とをそれぞれ一致させることができる。これにより、靴紐を、より一層正確に靴に通すことができる。
【００１６】
（４）上述した本考案の靴紐は、前記紐孔用目印が、複数形成されていると良い。
【００１７】
かかる構成によれば、靴紐を靴の紐孔に通す際に、複数の紐孔用目印と、複数の紐孔とを一致させることができる。これにより、紐孔間の靴紐の長さを所定の長さに保つことができる。そのため、靴紐が締まり過ぎたり、弛んだりすることを抑制できる。
【００１８】
（５）上述した本考案の靴紐は、前記基準目印が、複数形成されていると良い。
【００１９】
かかる構成によれば、複数の基準目印のいずれかを、例えば、靴の幅方向の一方側及び他方側に設けられた一対の紐孔の中心に位置付けて、靴紐を両紐孔に通すようにすれば、靴紐の左右の長さバランスを変更することができる。これにより、例えば、靴紐の通し方の変更で、靴紐の左右の長さバランスが変わるような場合であっても、適切に靴紐を通すことができる。そのため、靴紐の汎用性を高めることができる。
【００２０】
（６）上述した課題を解決すべく提供される本考案の靴は、上述したいずれかの靴紐を備えていることを特徴とするものである。
【００２１】
上述した本考案の靴は、上述したいずれかの靴紐を備えているので、靴紐を容易にかつ正確に通すことができる。また、靴の形態に依存せずに靴紐を適用できるので、汎用性に富んだ靴を提供することができる。
【００２２】
（７）上述した本考案の靴は、上述したいずれかの靴紐を備えると共に、幅方向一方側及び他方側に一対の紐孔を有し、前記靴紐における前記基準目印が、一対の前記紐孔の中央に位置するように前記靴紐が前記紐孔に通されると良い。
【００２３】
上述した本考案の靴は、靴紐における基準目印が、正確に靴の中央に位置付けられた状態で、靴紐が紐孔に通される。そのため、靴紐の通し直しの作業の発生を抑制することができる。
【００２４】
（８）上述した本考案の靴は、前記紐孔用目印を備えたいずれかの靴紐を備えるものであって、前記靴紐を前記紐孔に通した際に、前記紐孔用目印と前記紐孔とを一致させて、当該紐孔を基点として前記靴紐が折り返されると良い。
【００２５】
かかる構成によれば、紐孔間における靴紐の長さを所定の長さに保つことができる。そのため、靴紐が締まり過ぎたり、弛んだりすることを抑制できる。
【００２６】
（９）上述した本考案の靴は、上述したいずれかの靴紐を備えるものであって、幅方向一方側及び他方側に対称となるように一対の紐孔を有し、それぞれの前記紐孔の中央に靴側基準目印が形成されており、前記靴紐における前記基準目印と前記靴側基準目印とが、一致するように前記靴紐が通されると良い。
【００２７】
かかる構成によれば、靴側基準目印を目標として靴紐の基準目印を位置付けることができる。これにより、確実に靴の中央と靴紐の基準目印とを一致させることができる。そのため、より一層、容易でかつ正確に靴紐を靴の紐孔に通すことができる。
【考案の効果】
【００２８】
本考案によれば、靴紐を容易にかつ正確に通すことができる靴紐及び靴を提供することができる。
【図面の簡単な説明】
【００２９】
【図１】本考案に係る靴紐及び靴の一実施形態を表す斜視図である。
【図２】図１の平面図である。
【図３】本考案に係る靴紐及び靴の変形例を表す平面図である。
【図４】（ａ）は、本発明に係る靴紐の一実施形態を表す平面図であり、（ｂ）〜（ｄ）は、本発明に係る靴紐の変形例を示す平面図である。
【考案を実施するための形態】
【００３０】
本考案に係る靴紐１及び靴紐１を備える靴２の一実施形態について、図１〜図４を参照しつつ以下に詳細を説明する。本実施形態では、靴２がジョギングシューズのような運動靴である場合を例として説明する。
【００３１】
図１は、本考案に係る靴紐１を備えた運動靴２の斜視図であり、図２は、図１の平面図である。図１及び図２に示すように、靴紐１は、運動靴２の紐孔２５に通して使用されるものである。
【００３２】
靴紐１は、合成繊維、天然繊維、ゴム等を素材として形成され、所定の長さを有している。また、靴紐１は、紐孔２５に通る太さに形成されている。
【００３３】
図４（ａ）に示すように、靴紐１は、長さ方向の中間部に形成された基準目印１０と、基準目印１０を介した両側に形成された紐孔用目印１１，１１と、両端に形成された補強部１５，１５等を有している。本実施形態では、靴紐１の一部を省略して描いているが、靴紐１は、靴２（図１参照）に見合った長さを有している。
【００３４】
基準目印１０は、本実施形態では、長さ方向の中心に形成されており、靴紐１を紐孔２５（図１及び図２参照）に通す際の目印として使用されるものである。基準目印１０は、靴紐１に対して視覚的又は物理的に認識が可能なように形成されている。例えば、基準目印１０は、靴紐１の色と異なる線若しくはマーク又は、突起若しくは凹み等で形成されていると良い。基準目印１０は、染色や印刷、その他の適宜のマーキング手段によって形成することができる。
【００３５】
図１及び図２に示すように、紐孔用目印１１は、基準目印１０を介して両側に対となるように形成されている。一対の紐孔用目印１１，１１は、靴紐１を紐孔２５に通した際にそれぞれ対応する紐孔２５に相当する位置に形成されている。
【００３６】
また、図４（ａ）に示すように、紐孔用目印１１，１１は、基準目印１０を介して対象となるように形成されている。紐孔用目印１１は、靴紐１に対して視覚的又は物理的に認識が可能なように形成されている。紐孔用目印１１は、例えば、靴紐１の色と異なる線若しくはマーク又は、突起若しくは凹み等で形成されていると良い。紐孔用目印１１は、染色や印刷、その他の適宜のマーキング手段によって形成することができる。紐孔用目印１１は、基準目印１０と同様のものでも良いが、基準目印１０との区別が付くように、本実施形態では、基準目印１０よりも細く形成されている。
【００３７】
また、靴紐１は、両端部に補強部１５，１５が形成されている。補強部１５，１５は、靴紐１の端部を樹脂等で固めたり、筒状部材で覆ったりすることにより形成されている。これにより、靴紐１を紐孔２５（図１及び図２参照）に通す際の引っ掛かりや、靴紐１の解れが抑制される。
【００３８】
以上が、本考案に係る靴紐１の構成であり、次に靴紐１を備えた運動靴２の構成について、図１及び図２を参照しつつ以下に詳細を説明する。
【００３９】
図１に示すように、運動靴２は、靴底となるソール部２０と、使用者の足を包むアッパー部２１とを備えている。
【００４０】
ソール部２０は、ゴムや樹脂等を素材として形成されており、底面に適宜のすべり止めが形成されている。また、ソール部２０は、使用者が歩いたり、走ったりした際に地面から受ける衝撃を緩和させることができる。
【００４１】
図１及び図２に示すように、アッパー部２１は、開口２２と、ベロ２３と、ベロ２３の幅方向両端側を覆うように形成された羽根部２４，２４等を備えている。
【００４２】
開口２２は、使用者が運動靴２を履く際に足を挿入するための入り口となるものである。ベロ２３は、使用者が運動靴２を履いた際に、使用者の足の甲を覆うものである。ベロ２３は、下端側が、アッパー部２１と接続されており、上端側が自由端とされている。
【００４３】
羽根部２４，２４は、ベロ２３の幅方向両端側に位置し、ベロ２３の下端側から開口２２の前端側にかけて延びるように形成されている。羽根部２４，２４は、アッパー部２１の幅方向中心に対して、ほぼ線対称となるように形成されている。また、羽根部２４，２４の下端側から上端側にかけて、複数の紐孔２５が形成されている。
【００４４】
一対の紐孔２５，２５は、アッパー部２１の幅方向一方側及び他方側に対称となるように形成されている。また、一対の紐孔２５，２５は、左右一対を組として、羽根部２４，２４の上下方向に沿って複数配置されている。
【００４５】
紐孔２５は、靴紐１が通されることにより、本考案の靴２を構成する。以上が、運動靴２の構成であり、次に、靴紐１を紐孔２５に通す際の作業についての詳細を図１及び図２を参照しつつ以下に説明する。
【００４６】
靴紐１を紐孔２５に通すにあたり、まず、最下段に位置する紐孔２５ａに靴紐１が通される。紐孔２５ａに通された靴紐１は、基準目印１０が、一対の紐孔２５ａ，２５ｂの中心に位置するように調節される。このように、本考案に係る靴紐１では、靴紐１の長さ方向一方側及び他方側のそれぞれの長さのバランス（左右方向の長さバランスとも称する）を正確に知ることができる。また、本実施形態では、基準目印１０が、長さ方向の中心に形成されているので、基準目印１０を紐孔２５ａ，２５ｂとの中心付近に位置付けることにより、靴紐１の左右方向の長さバランスを適切なものとすることができる。これにより、靴紐１の左右方向の長さバランスが狂うことを抑制でき、靴紐１の通し直し作業の発生を抑制することができる。
【００４７】
靴紐１の基準目印１０の位置決めが完了すると紐孔用目印１１，１１が、それぞれ紐孔２５ａ，２５ｂと一致するように位置決めされ、靴紐１が紐孔２５ｂに通される。このように本考案の靴紐１では、基準目印１０による位置決めに加えて、紐孔用目印１１を用いた位置決めを行うことができる。これにより、靴紐１が締まり過ぎることや弛むことを抑制できる。また、短時間で靴紐１を運動靴２に精度良く通すことができる。
【００４８】
また、本実施形態では、一対の紐孔用目印１１，１１が、基準目印１０を介して対称となるように形成されている。従って、靴紐１を紐孔２５に通す際に、左右対称に形成された一対の紐孔２５ａ，２５ｂと、一対の紐孔用目印１１，１１と、をそれぞれ一致させることができる。これにより、靴紐１をより一層正確に運動靴２に通すことができる。そのため、靴紐１が締まり過ぎることを抑制でき、短時間で靴紐１を精度良く通すことができる。
【００４９】
靴紐１の位置決めが完了すると、靴紐１が紐孔２５ａ，２５ｂを基点として折り返される。これにより、紐孔２５ａ，２５ｂ間の靴紐の長さを所定の長さに保つことができる。そのため、靴紐１が締まり過ぎたり、弛んだりすることを抑制することができる。
【００５０】
以上が、本考案の靴紐１及び靴２の実施形態であるが、本考案の靴紐１及び靴２は、各種の変形を行うことができる。
【００５１】
ここで、本考案の靴紐１や靴２の構成をより簡素にするために、上述の実施形態における構成を第一変形例のごとく変形した実施形態を採用することができる。以下に、第一変形例の構成の詳細を説明する。
【００５２】
≪第一変形例≫
図４（ｂ）に示すように、第一変形例における靴紐１は、紐孔用目印１１，１１が廃され、基準目印１０が形成されたものである。かかる構成であっても、基準目印１０を紐孔２５ａ，２５ｂの中心付近に位置付けるようにすれば、靴紐１の運動靴２の左右方向の長さバランスが大きく狂うことがない。従って、靴紐１の通し直し作業の発生を抑制することができる。
【００５３】
ここで、靴紐１の通しやすさをより向上させるために、上述の実施形態における構成を第二変形例のごとく変形した実施形態を採用することができる。以下に、第二変形例の構成の詳細を説明する。
【００５４】
≪第二変形例≫
図４（ｃ）に示すように、第二変形例における靴紐１は、基準目印１０と、一対の紐孔用目印１１，１１（第一紐孔用目印１１，１１とも称する）と、一対の紐孔用目印１２，１２（第二紐孔用目印１２、１２とも称する）とが形成されている。ここで、第二紐孔用目印１２，１２は、紐孔２５ａ，２５ｂの次に靴紐１が通される紐孔２５ｃ，２５ｄと対応する位置に形成されている。従って、靴紐１を紐孔２５に通す際に、第一紐孔用目印１１，１１を紐孔２５ａ，２５ｂと一致させると共に第二紐孔用目印１２，１２と紐孔２５ｃ，２５ｄとを一致させることができる。これにより、複数の紐孔２５の間の靴紐１の長さを所定の長さに保つことができる。そのため、靴紐１が締まり過ぎたり、弛んだりすることを抑制することができる。
【００５５】
次に、靴紐１及び靴２の汎用性を高めることが可能な第三変形例について、以下に詳細を説明する。
【００５６】
≪第三変形例≫
図４（ｄ）に示すように、第三変形例では、基準目印１０が靴紐１の長さ方向の中心ではなく、一方側にずれた位置に形成されている。そのため、靴紐１をそれぞれの紐孔２５に通した際に、靴紐１の左右方向の長さのバランスを変更することができる。これにより、例えば、靴紐１の通し方の変更で、靴紐１の左右の長さバランスが変わるような場合であっても、適切に靴紐１を通すことができる。そのため、靴紐１や靴２の汎用性を高めることができる。
【００５７】
≪第四変形例≫
図４（ｅ）に示すように、第四変形例では、基準目印１０に加えて、複数の基準目印１０ａ，１０ｂが基準目印１０を介して両側に形成されている。基準目印１０ａ，１０ｂは、長さ方向中心から、ずれた位置に形成されている。また、基準目印１０は、他の基準目印１０ａ，１０ｂと区別できるように、それぞれ形状や色彩等が異なるものとされている。
【００５８】
上述したように第四変形例では、複数の基準目印１０，１０ａ，１０ｂが形成されている。従って、靴紐１を通した際に、基準目印１０，１０ａ，１０ｂのいずれかを紐孔２５ａ，２５ｂの間の中心付近に位置付けるようにすれば、靴紐１の左右の長さバランスを変更することができる。これにより、例えば、靴紐１の通し方の変更で、靴紐１の左右の長さバランスが変わるような場合であっても、適切に靴紐１を通すことができる。そのため、靴紐１や靴２の汎用性を高めることができる。なお、本変形例では、靴紐１の長手方向中央部に設けた基準目印１０に対して、長手方向一方側及び他方側にそれぞれ基準目印１０ａ，１０ｂを設けた例を示したが、本項案はこれに限定されない。例えば、靴紐１の長手方向中央部の基準目印１０を境として、長手方向一方側に基準目印１０ａを設け、他方に基準目印１０ｂを設けない構成としたり、これとは逆に長手方向一方側に基準目印１０ａを設けず、他方に基準目印１０ｂを設ける構成としたりしても良い。また、図示例では、長手方向一方側及び他方側に一つずつ基準目印１０ａ，１０ｂを設けた例を示したが、本考案はこれに限定されず、長手方向一方側及び他方側に基準目印１０ａ，１０ｂに相当するものを複数設けたり、長手方向一方側及び他方側で基準目印１０ａ，１０ｂの数量が相違するように設けたりしても良い。さらに、靴紐１は、長手方向中央部の基準目印１０を設けず、長手方向中央部を外れた位置にある基準目印１０ａ，１０ｂのうちいずれか一方又は双方を設けた構成としても良い。
【００５９】
次に、靴紐１の靴２への位置決めをより正確に行うことが可能な第五変形例について、以下に説明する。
【００６０】
≪第五変形例≫
図３に示すように、第五変形例では、運動靴２におけるベロ２３の下端側であって、紐孔２５ａと紐孔２５ｂとの間の中央に靴側基準目印２６が形成されている。靴側基準目印２６は、本実施形態では、菱形形状のマークが付されている。靴側基準目印２６は、靴紐１を紐孔２５ａ，２５ｂに通す際に基準目印１０を位置決めするためのものである。従って、靴紐１の基準目印１０を靴側基準目印２６と一致させて、靴紐１を紐孔２５に順次通すことにより、靴紐１の左右の長さバランスを適切なものとすることができる。
【００６１】
ここで、靴側基準目印２６は、例えば、ベロ２３の色と異なる線若しくはマーク又は、突起若しくは凹み等で形成されていると良い。紐孔用目印１１は、染色や印刷、その他の適宜のマーキング手段によって形成することができる。また、靴側基準目印２６は、意匠性に富むものを採用することもできる。例えば、靴側基準目印２６がベロ２３のデザインとして一体化されたようなものとしても良い。これにより、靴２のデザインを妨げることなく、靴側基準目印２６を靴２に形成することができる。
【００６２】
また、第五変形例では、靴紐１が、第二変形例と同様に複数の紐孔用目印１１を有している。従って、靴紐１を、紐孔用目印１１と対応するそれぞれの紐孔２５に一致させて通すことにより、複数の紐孔２５の間の靴紐１の長さを所定の長さに保つことができる。そのため、靴紐１が締まり過ぎたり、弛んだりすることを抑制することができる。
【００６３】
以上が、本考案の靴紐１及び靴２の実施形態及び変形例である。なお、本考案の靴紐１及び靴２は、上述した実施形態や変形例に限定されるものではなく、様々な変形を行うことができる。
【００６４】
本実施形態では、靴紐１が直線状に形成されているが、靴紐１はこれに限定されず、各種の形状や大きさのものを使用することができる。また、基準目印１０、紐孔用目印１１、靴側基準目印２６の形状や大きさも上述した実施形態に限定されるものではなく、各種の形状、大きさ、色彩のもので形成することができる。また、基準目印１０は、単数に限定されるものではなく、複数形成されるものでも良い。また、基準目印１０を複数設ける場合は、靴紐１の左右の長さバランスに応じて、適宜に位置を変更すれば良い。また、基準目印１０を複数設ける場合は、基準目印１０を介して靴紐１の長さ方向一方側に設けられるものや、基準目印１０を介して両側に設けられるものなど、各種の位置に適宜の個数の基準目印１０を設けることができる。
【００６５】
また、基準目印１０、紐孔用目印１１、靴側基準目印２６の形成手段は、特に限定されるものではなく、各種の手段を用いることができる。また、基準目印１０、紐孔用目印１１、靴側基準目印２６の形成は、予め形成するものだけではなく、靴紐１や靴２に対して後付けで形成するものであっても良い。また、基準目印１０は、靴紐１の長さ方向中心だけではなく、靴紐１の一端側と他端側との間に形成されるものであれば、各種の位置に形成することができる。かかる構成は、靴紐１の通し方を変更して、靴紐１の左右方向の長さのバランスを変更したい場合に好ましく利用できる。
【００６６】
本実施形態では、紐孔用目印１１が、紐孔２５の一部に対応するように形成されたものを例示したが、紐孔用目印１１を形成する個数は、様々なものとすることができる。例えば、紐孔用目印１１が、紐孔２５の全てに対応するものとしても良い。また、紐孔用目印１１が、形成されていないものとしても良い。また、紐孔用目印１１が基準目印１０に対して、一方側にのみ形成されているものであっても良い。また、紐孔用目印１１が複数形成される場合は、紐孔２５の間隔に合わせて適宜の位置に形成すれば良い。
【００６７】
本実施形態では、靴紐１を備えた靴として運動靴２を例示したが、運動靴２に代えて、各種の靴に適用することが可能である。例えば、靴２が、ファッション性に富んだ靴やトレッキングシューズ、紳士靴等の靴であっても良い。また、靴２に形成される紐孔２５の形状、大きさ、個数は、各種のものを採用することができる。また、紐孔２５は、左右対称のものでなくても良い。
【００６８】
本実施形態では、基準目印１０が、一対の紐孔２５ａ，２５ｂの中央に位置するように靴紐１が紐孔２５ａ，２５ｂに通されるものとしているが、基準目印１０が、紐孔２５ａ，２５ｂの中心に位置するものでなくても良い。かかる構成は、靴紐１の通し方を変更して、靴紐１の左右方向の長さのバランスを変更したい場合に好ましく利用できる。
【００６９】
本実施形態では、靴紐１を紐孔２５に通した際に、紐孔用目印１１と紐孔２５とを一致させて、紐孔２５を基点として靴紐１が折り返されるようにしているが、紐孔用目印１１と紐孔２５とが、厳密に一致するものでなくても良い。例えば、強めに靴紐１を通したい場合や、弱めに靴紐１を通したい場合は、紐孔用目印１１に対して、適宜の範囲で、紐孔用目印１１を紐孔２５に対してずらせば良い。
【００７０】
本実施形態では、靴紐１における基準目印１０と靴側基準目印２６とが、一致するように靴紐１が通されるものとしたが、基準目印１０と靴側基準目印２６とをずらしても良い。かかる構成は、靴紐１の通し方を変更して、靴紐１の左右方向の長さのバランスを変更したい場合に好ましく利用できる。また、本実施形態では、ベロ２３に靴側基準目印２６を形成しているが、靴側基準目印２６は、紐孔２５に合わせて、アッパー部２１の各所に形成することができる。以上が、本考案の各種の変形例である。
【００７１】
なお、本考案は上述した実施形態や変形例において例示したものに限定されるものではなく、実用新案登録請求の範囲を逸脱しない範囲でその教示及び精神から他の実施形態があり得ることは当業者に容易に理解できよう。
【産業上の利用可能性】
【００７２】
本考案の靴紐及び靴は、ジョギングシューズ等の運動靴、ファッション用の靴、及び日常生活用の靴等の各種の紐靴に利用することができる。
【符号の説明】
【００７３】
１  ：靴紐
２  ：靴（運動靴）
１０  ：基準目印
１０ａ：基準目印
１０ｂ：基準目印
１１  ：紐孔用目印（第一紐孔用目印）
１２  ：紐孔用目印（第二紐孔用目印）
２０  ：ソール部
２１  ：アッパー部
２２  ：開口
２３  ：ベロ
２５  ：紐孔
２５ａ：紐孔
２５ｂ：紐孔
２６  ：靴側基準目印
【図１】
0003231337.tif 000003
【図２】
0003231337.tif 000004
【図３】
0003231337.tif 000005
【図４】
0003231337.tif 000006
【手続補正書】
【提出日】令和3年1月19日(2021.1.19)
【手続補正１】
【補正対象書類名】実用新案登録請求の範囲
【補正対象項目名】全文
【補正方法】変更
【補正の内容】
【実用新案登録請求の範囲】
【請求項１】
靴の紐孔に通す靴紐であって、
当該靴紐の長さ方向中間部に基準目印が形成されていることを特徴とする靴紐。
【請求項２】
前記基準目印に対して前記靴紐の長さ方向一方側又は両側であって、前記靴紐を前記紐孔に通した際に、前記紐孔に相当する位置に紐孔用目印が形成されていることを特徴とする請求項１に記載の靴紐。
【請求項３】
一対の前記紐孔用目印が、前記基準目印を介して対称となるように形成されていることを特徴とする請求項２に記載の靴紐。
【請求項４】
前記紐孔用目印が、複数形成されていることを特徴とする請求項２〜３のいずれか1項に記載の靴紐。
【請求項５】
前記基準目印が、複数形成されていることを特徴とする請求項１〜４のいずれか１項に記載の靴紐。
【請求項６】
請求項１〜５のいずれか１項に記載の靴紐を備えた靴。
【請求項７】
請求項１〜５のいずれか１項に記載の靴紐を備えた靴であって、
幅方向一方側及び他方側に一対の紐孔を有し、
前記靴紐における前記基準目印が、一対の前記紐孔の中央に位置するように前記靴紐が前記紐孔に通されることを特徴とする靴。
【請求項８】
請求項２〜４のいずれか１項に記載の靴紐を備えた靴であって、
前記靴紐を前記紐孔に通した際に、前記紐孔用目印と前記紐孔とを一致させて、当該紐孔を基点として前記靴紐が折り返されるようにしたことを特徴とする靴。
【請求項９】
請求項１〜５のいずれか１項に記載の靴紐を備えた靴であって、
幅方向一方側及び他方側に対称となるように一対の紐孔を有し、
それぞれの前記紐孔の中央に靴側基準目印が形成されており、
前記靴紐における前記基準目印と前記靴側基準目印とが、一致するように前記靴紐が通されることを特徴とする靴。